(57)【特許請求の範囲】
【請求項１】
被写界を見るファインダ装置であって、人間の両目のうち片方の目により被写界を見る光路中に人間の眼球を検出する検出装置を、もう一方の目により被写界を見る光路中にカメラの撮影画界に関する情報を組込み、
前記ファインダ装置は両目に入る被写界光量をほぼ同一にするための左右別濃度のフィルタを使用していることを特徴とする頭部装着型ファインダ装置。
【請求項２】
前記ファインダ装置は被写界視野外に被写界を撮影するカメラ部を一体に備えたことを特徴とする請求項１記載の頭部装着型ファインダ装置。
【請求項３】
前記カメラ部の縦横撮影の位置切換手段と、該位置切換えを検知してファインダ内の視野枠表示を切換える視野枠切換手段を備えたことを特徴とする請求項１又は２記載の頭部装着型ファインダ装置。
【請求項４】
装置上方に着脱可能で小型容量の二次電池を蓄電するためのソーラーパネルを備えたことを特徴とする請求項１乃至３記載の頭部装着型ファインダ装置。
【請求項５】
請求項１乃至４記載の頭部装着型ファインダ装置において、ファインダおよび視線スイッチを有し眼に合わせて装着するゴーグル部を防水保持するハウジングと、防水構造のカメラ部を備えたことを特徴とする頭部装着型ファインダ装置。
【請求項６】
前記カメラ部の視野枠縦横切換えのための姿勢検知センサーは投光素子と受光素子で構成したことを特徴とする請求項５記載の頭部装着型ファインダ装置。
【発明の詳細な説明】
【０００１】
【産業上の利用分野】
本発明は、頭部装着型のファインダ装置に関し、特に、ファインダ光路を分割して視線検知モジュールと被写体エリアを表示する装置を組込んだ装置、およびこのような装置と一体的構成を成すのに適したカメラの構造に関するものである。
【０００２】
【従来の技術】
従来より、頭部装着型ファインダ装置あるいは同装置に一体的にカメラを設けた装置が種々出願されている。これらの代表例としては、特開昭６３−２８４５２９号の提案があげられる。
【０００３】
ここに提案されているビデオカメラは、頭部に装着するヘッドバンドに小型のカメラ本体を取付け、カメラの入射光路の途中に配置した反射鏡からの反射光をレンズを介し、光ファイバーチューブの先端に取付け撮影者の目の位置にセット可能とした光学ビューファインダへ導き、撮影者は光学ビューファインダのレンズを介して被写界像を確認することができる。レリーズ等の操作は、襟元などに取付けたリモコンユニットから入力し、この操作入力が接続コードを通してカメラ本体や別体のＶＴＲへ伝達されて行われる。
【０００４】
【発明が解決しようとする課題】
しかしながら、この場合、光ファイバーチューブを介して撮影者の眼の直前に光学ビューファインダを配置した構造から、被写界像と光学ビューファインダからのモニタ像の倍率が異なるので、視覚的違和感が存在するという問題があった。
【０００５】
更に、この装置は頭部装着型としてカメラ本体も一体的に構成されているが、レリーズボタン等の操作部をリモコンユニットに収納して襟元に装着し、接続コードによってカメラ本体に接続しているので、頭部の装着装置からコード類が遠方へ突出して上半身前面に張り巡らせるような形になってしまって、コンパクトな構成とは言えず携帯性が悪く且つ高価であるという問題があった。
【０００６】
更に、小型のカメラを頭部装着型として用意しているので、ファインダ装置として頭部に装着した時の軽快感はあるものの、通常より小サイズのＣＣＤであることから画素数に限界があって、撮影した映像の画質が悪くユーザーの満足度が低い等の問題があった。
【０００７】
そこで、請求項１に示した本発明の目的は、操作部および接続コード等を一切無くしてコンパクトで携帯性に優れ、かつ装着するファインダ装置の両目への入射光量を調整して視覚的違和感の無い頭部装着型ファインダ装置を提供することにある。
【０００８】
更に、請求項２に示した本発明の目的は、視野外にファインダ装置よりレリーズ等の自動的操作が可能なカメラ部を有する頭部装着型ファインダ装置を提供することにある。
【０００９】
更に、請求項３に示した本発明は、縦横撮影位置の切換え時ファインダ視野枠表示が自動的に切換わる頭部装着型ファインダ装置を提供することにある。
【００１０】
更に、請求項４に示した本発明は、電池交換の不要な頭部装着型ファインダ装置を提供することにある。
【００１１】
更に、請求項５に示した本発明は、操作部が無く両手の操作を必要としない自動操作型のカメラ部を有し水中撮影が可能な防水型の頭部装着型ファインダ装置を提供することにある。
【００１２】
更に、請求項６に示した本発明は、防水型カメラの縦横撮影姿勢を安全確実に検知できる頭部装着型ファインダ装置を提供することにある。
【００１８】
【課題を解決するための手段および作用】
本出願に係る発明の目的を実現する他の具体的な構成は、請求項３に記載のように、被写界を見るファインダ装置であって、人間の両目のうち片方の目により被写界を見る光路中に人間の眼球を検出する検出装置を、もう一方の目により被写界を見る光路中にカメラの撮影画界に関する情報を組込み、前記ファインダ装置は両目に入る被写界光量をほぼ同一にするための左右別濃度のフィルタを使用していることを特徴とする頭部装着型ファインダ装置にある。
【００１９】
この構成によれば、視線スイッチと被写体エリアの表示を夫々左右の眼に該当するようにメガネ型のファインダ装置に組込み、自動的にシャッタレリーズ操作を行うので、レリーズ用の操作部は必要無くなり接続コード等も一切使用しないコンパクトで携帯性に優れた頭部装着型ファインダ装置が得られると共に、両目への入射光量を調節して視覚的違和感を無くすことができる。
【００２０】
本出願に係る発明の目的を実現する他の具体的な構成は、請求項２に記載のように、前記ファインダ装置は被写界視野外に被写界を撮影するカメラ部を一体に備えたことを特徴とする請求項３記載の頭部装着型ファインダ装置にある。
【００２１】
この構成によれば、視野外に一体に装着したカメラを被写界を見るファインダ側より自動的にレリーズ操作して撮影することができる。
【００２２】
本出願に係る発明の目的を実現する他の具体的な構成は、請求項３に記載のように、前記カメラ部の縦横撮影の位置切換手段と、該位置切換えを検知してファインダ内の視野枠表示を切換える視野枠切換手段を備えたことを特徴とする請求項１又は２記載の頭部装着型ファインダ装置にある。
【００２３】
この構成によれば、カメラの縦横両位置の撮影がが可能となりファインダの視野枠表示は自動的に切換わる。
【００２４】
本出願に係る発明の目的を実現する他の具体的な構成は、請求項４に記載のように、装置上方に着脱可能で小型容量の二次電池を蓄電するためのソーラーパネルを備えたことを特徴とする請求項１乃至３記載の頭部装着型ファインダ装置にある。
【００２５】
この構成によれば、装置に小型で小容量の二次電池を装備してソーラーパネルから充電しながら動作させるので、電池交換の必要が無くなる。
【００２６】
本出願に係る発明の目的を実現する具体的な構成は、請求項５に記載のように、請求項１乃至４記載の頭部装着型ファインダ装置において、ファインダおよび視線スイッチを有し眼に合わせて装着するゴーグル部を防水保持するハウジングと、防水構造のカメラ部を備えたことを特徴とする頭部装着型ファインダ装置にある。
【００２７】
この構成によれば、シャッタレリーズ釦等の操作部を要しない自動レリーズタイプの防水カメラを構成できる。
【００２８】
本出願に係る発明の目的を実現する他の具体的な構成は、請求項６に記載のように、前記カメラ部の視野枠縦横切換えのための姿勢検知センサーは投光素子と受光素子で構成したことを特徴とする請求項５記載の頭部装着型ファインダ装置にある。
【００２９】
この構成によれば、水洩れ等の防水処理上の心配が無く確実にカメラの位置切換えを検知できる。
【００４０】
【実施例】
（第１の実施例）
図１〜図１１は本発明の第１実施例を示す。
図１は本発明の第１実施例に係る頭部装着型ファインダ装置の斜視図である。図１において、１は装置を頭部に装着するためのヘッドバンドであり、カメラを手で保持しないで撮影ができる。２はトーリック非球面又は自由曲面レンズで構成されたゴーグル部で、従来のカメラのファインダの役目を果たすもので、ハーフミラーになっていて撮影者に被写界の撮影画界を等倍で示す。３は採光窓で撮影画界を示す視野枠や各種撮影情報を表示するための光を採り込む、４は表示用のＬＣＤで採光窓３より採り込んだ光を利用して被写界の撮影画界を、ゴーグル部２のトーリック非球面レンズにより等倍で表示される。なお、このゴーグル部２は左右別濃度のフィルタを使用しているため、両目の入射光量はほぼ同一となっている。これらによって、撮影者は視覚的違和感を受けることなく写真撮影を行うことができる。
【００４１】
５は眼球の状態（まばたき）を検出する視線センサーで、眼球乃至眼球周囲を照明する投光素子とその反射光を検出する受光素子とから成るレリーズ手段である。これによって、シャッタレリーズやズーム操作等のモード切換えも視線入力によって行うことも可能である。
【００４２】
６はカメラ部で先述の等倍の撮影画界にカメラの撮影画界が合うようにカメラの位置、および撮影光軸方向が精密に調整されている。更に、撮影光学系６ａを２次結像系とし、２枚のミラー６ｂを用いてフィルムに像を写し込む。これにより、長い光路長を必要とする撮影系であっても倍率の小さい（標準レンズ相当の焦点距離の）撮影が簡単な構成で行える。
【００４３】
ここで、詳しくカメラ部６について以下の各図を参照して説明する。
図２は図１に示すファインダ装置のカメラ部の横位置撮影時の斜視図である。
図３は図１に示すカメラ部の回転機構を示す断面図である。
図４は図１に示すファインダ装置のファインダ視野枠切換えを示す概略図である。
図１１は図１に示すカメラ部の構成図である。
【００４４】
図１１に示したカメラで使用するフィルムカートリッジ１０は、フィルムを先端部まで全て巻き込んであって、ライトガイド１０ａを開いてカートリッジ軸１０ｂの回転によりフィルム１０ｃが引き出される。カートリッジ１０の装填はカートリッジ蓋６１をＢ方向に開き（軸中心６１ａにより）、カートリッジの軸方向に落し込むようにして行う。カートリッジ１０は装填されるとライトガイド１０ａが開き、フォーク６２が不図示のモーターにより回転してフィルム１０ｃが引き出される。引き出されたフィルム１０ｃはスプール６３に数コマ分巻き取られ撮影待機状態となり、以後、レリーズ動作が行われる毎に１コマづつ巻上げていく。
【００４５】
第１の撮影光学系（以下、光学系と称す）６４はスプール室の下に配置され、スプール６３の軸方向に直交している。第１の光学系６４によってできた一次結像は第１ミラー（反射装置）６５により、いわゆる第１の方向であるカートリッジ１０の軸方向に９０°屈曲される。続いて、第２の光学系６６によって二次結像され、第２ミラー６７によりフィルム面に９０°屈曲され像が写し込まれる。このように、二次結像系を用いているので光学系の自由度が増し、様々な焦点距離のレンズが使用可能である。
【００４６】
このカメラは従来のものと比較して、撮像画面が大きく３５ｍｍサイズ、もう少し小型のニューフォーマットサイズの銀塩フィルム、又は比較的大きなサイズのＣＣＤ素子が設定可能で、映像画質については十分満足できるものである。
【００４７】
更に、二次結像系とすることによって、一次結像面にＬＣＤ等を突出させる構造（不図示）として、任意の図形等を入力したり、あるいは、高輝度と低輝度の同居するシーン等で、高輝度部分の透過率を加減して両方が鮮明に記録されるような処理も可能になる。
【００４８】
また、カメラ部６は図１の状態では縦位置撮影状態を示しているが、横位置撮影を行う場合は、図２の横位置撮影図に示すように、カメラ６を９０°倒して行う。これは図３に示す、カメラ部６の鏡筒部を包み込むように嵌合しているガイドバンド９が、ヘッドバンド１に固定されていて凸部９ａを持ち、この凸部９ａの周辺は弾性があってカメラ６のＡ方向の回転により凹部６ｃ、６ｄに噛み合って位置決めされるものである。この時、不図示のスイッチによって図４（ａ），（ｂ）の視野枠の表示図に示すように、ＬＣＤ４の視野枠が縦横切換わる。
【００４９】
再び、図１の構成に戻り、７は取外し可能なストロボ装置でストロボ撮影が必要な場合は、ヘッドバンド１の側面に設けたアクセサリーシューに繋いでストロボ撮影が可能になる。８は着脱可能なソーラーパネルであり、装着時の受光量によって不図示の二次電池（偏平型、又は小型円筒型）に蓄電することで、本発明のカメラは電池交換不要となる。
【００５０】
次に、視線センサー５によるカメラの所定機能のトリガーは、まばたきを検出するシステムの構成図、図５（ｂ）の側面図、図５（ａ）の上面図に示すように、投光手段２ａにより投光された光線が図のような経路を辿って視線センサー５に入り、眼球の状態（まばたき）を検出する。この場合、人が常に無意識のうちに行ってしまうまばたきとは区別できなければならない。この点については
視線センサー５内の反射光検出手段または撮像手段により検出した反射光が、所定変化した時に撮影者が意識したまばたきと判別し、カメラのレリーズのトリガーを行うように構成している。
【００５１】
図６は図１に示すファインダ装置の全体構成ブロック図である。
図６において、１１はシーケンス制御及び演算を行うシステムコントローラ、１２はプログラムやデータを記憶しているＲＯＭ、１３はデータ記憶用のＲＡＭ、１４は被写体の光量を測定する測光回路、１５は被写体までの距離を測定する測距回路、１６はフィルムへの露光を行うシャッタの駆動回路、１７はカメラの作動不作動を切り換えるメインスイッチでありシステムコントローラ１１のＭＡＩＮポートに接続される。１８はフィルムへの露光を指示するレリーズスイッチでありＲＬＳポートに接続される。１９はフィルム、２０はシャッタ、２１は撮影レンズである。
【００５２】
２２は眼球からの反射光を検出するＳＰＤ、２３は眼球上の検出エリアを規定する遮光マスク、２４は受光レンズ、２５は眼球上のＳＰＤ２２の検出エリア、２６は演算増幅器、２７は抵抗、２８はＡ／Ｄコンバータでありアナログ、デジタル変換されたデータはシステムコントローラ１１に入力される。２９は眼球照明用のｉＲＥＤ、３０はその定電流ドライバである。３１は所定周期の割り込みを発生させるタイマであり、タイマのカウント許可はシステムコントローラ１１よりＥＮ端子で入力され、所定カウントが終了するとそのキャリによりシステムコントローラ１１に所定周期の割り込み（ＩＮＴＴ）が生じるように構成されている。
【００５３】
図７は図６に示すシステムコントローラの処理のフローチャートである。
図８は図６に示すＳＰＤの受光量タイミングチャートである。
図９はまばたきをしていない時の眼球上の検出エリアの状態を示す図である。
図１０はまばたきをして瞼を閉じた時の状態を示す図である。
【００５４】
つぎに図７および各図を参照して動作について説明する。
【００５５】
先ず、メインスイッチ１７がオンすると、眼球照明用ｉＲＥＤ２９を点灯させる（Ｓ１０１）。
【００５６】
外部タイマ（ＴＥＸ）３１のカウントを開始させる（Ｓ１０２）。ここで、外部タイマ（ＴＥＸ）の動作を説明すると、外部タイマ（ＴＥＸ）３１は、システムコントローラ１１により動作可能状態（イネーブル状態）に設定されると、所定時間間隔でカウントアップするフリーランスカウンタである。そのカウントアップ信号はシステムコントローラ１１の外部割り込み端子に接続され、所定時間ごとに外部割り込みを発生させるように動作する。
【００５７】
配列変数ＳＩＧをＮ個定義する（Ｓ１０３）。平均算出回数カウンタのカウント値（Ｃ）を１にリセットする（Ｓ１０４）。
【００５８】
ＨＡＬＴ状態とする（Ｓ１０５）。この状態から所定周期で外部タイマ（ＴＥＸ）３１がカウントアップすると、システムコントローラ１１にタイマ割り込みが発生しＳ１０６以下の動作を開始する。
【００５９】
受光ＳＰＤ２２が受光した量をＡ／Ｄ変換する（Ｓ１０６）。この場合、受光ＳＰＤ２２で受光した受光電流（ｉＳＰＤ）は、演算増幅器２６と抵抗２７により電流／電圧変換されＡ／Ｄコンバータ２８へ入力する。Ａ／Ｄコンバータ２８により所定の分解能で量子化された電圧値は、システムコントローラ１１に入力される。Ａ／Ｄコンバータ２８はシステムコントローラ１１によってハード的にタイミングコントロールされることは言うまでもない。配列変数ＳＩＧ（Ｃ）にＡ／Ｄ変換結果を記憶する（Ｓ１０７）。
【００６０】
過去の所定期間の平均値（ＳＵＭＡＶ）に対する記憶したＳＩＧ（Ｃ）の変化率を求め、所定値（Ｒ）と比較する。所定割合（Ｒ）より変化率が大きければＳ１０９へ進み、小さければＳ２０３へ進む（Ｓ１０８）。ＣＨＩＮＨフラグをチェックし、まばたき入力禁止期間であるかを確認する（Ｓ１０９）システムコントローラ１１の内部タイマ（ＴＩＸ）の動作状態を確認する。動作中ならＳ１１１へ進み停止中ならＳ１１８へ進む（Ｓ１１０）。内部タイマ（ＴＩＸ）のカウント値をチェックする。カウント値が所定値（Ａ）以上ならＳ１１２へ、所定値（Ａ）未満ならＳ１１７へ進む（Ｓ１１１）。
【００６１】
測光回路１４により被写体の輝度を測定する（Ｓ１１２）。測距回路１５によりカメラから被写体までの距離を測定する（Ｓ１１３）。測光回路１４により測定した被写体輝度と装填されているフィルム１９の感度により算出されたシャッタ２０の開放時間分、シャッタドライバ１６によりシャッタ２０を開放する。露光終了後はフィルム給送手段（不図示）により１コマ分フィルムを給送する（Ｓ１１４）。
【００６２】
まばたき検出禁止フラグ（ＣＨＩＮＨ）をセットする（Ｓ１１５）。内部タイマ（ＴＩＸ）をリセットする（Ｓ１１６）。
【００６３】
平均算出サンプリングカウンタ（Ｃ）の値を、１インクリメントする（Ｓ１１７）。メインスイッチ１７の状態を判別する。オン状態ならＳ１２２へ進み、オフ状態ならＳ１２０へ進む（Ｓ１１９）。
【００６４】
オフ状態と判別された場合は、外部割り込みタイマ（ＴＥＸ）のカウントを停止する（Ｓ１２０）。眼球照明用ｉＲＥＤ２９をオフし処理を終了する（Ｓ１２１）。オン状態と判別された場合は、平均算出サンプリングカウンタ（Ｃ）の値を判別し、Ｓ１０３で定義済みの配列個数（Ｎ）未満ならＳ１０５のＨＡＬＴへ進み、配列個数（Ｎ）より大きい時はサンプリングカウンタ（Ｃ）をリセットする（Ｓ１２２）。
【００６５】
一方、Ｓ１０８で過去の所定期間の平均値（ＳＵＭＡＶ）に対し、記憶したＳＩＧ（Ｃ）の変化率を求め所定値（Ｒ）より小さいと判別された時は、内部タイマ（ＴＩＸ）をリセットする（Ｓ１２３）。まばたき検出禁止フラグ（ＣＨＩＮＨ）をリセットする（Ｓ１２４）。過去所定期間の平均値（ＳＵＭＡＶ）を計算する。この計算は過去のサンプル回数（Ｎ個）の総数をサンプル回数（Ｎ）で割って求めることにより行う（Ｓ１２５）。
【００６６】
以上、フローチャートに基づきシステムコントローラの処理を説明したが、まばたき検出処理についてまとめると、先ず、図９、図１０に示すように、受光ＳＰＤ２２の眼球上の検出エリアは受光レンズ２４、視野マスク２３により図中２５のように規定されている。瞼が開いている状態では図９のように検出エリアは眼球の瞳孔部、虹彩部、白目（強膜部）に相当する。瞼を閉じると図１０のように上瞼を検出することになる。図１０の３２は上瞼である。
【００６７】
眼球より上瞼は検出系に対して距離が近く、本検出系では赤外光で照明しているので肌によるバラツキが少なく、また眼球上より反射率が高いことから瞼を閉じると反射光量が増加する。それに、まばたきの時の瞼の開閉はシャッタのように瞬間的に上下する特徴があり、この上下移動の速度は人による差が少なく、反射光量変化は所定の周波数成分を含んだ変化となる。
【００６８】
従って、まばたき時の光量変化特性を捕える方法として本実施例では、Ｓ１０７の処理のように、検出した光量値と過去のサンプリングの所定回数を記憶し、Ｓ１２５の処理のように、それらの平均（ＳＵＭＡＶ）を常に算出する。Ｓ１０８のように、検出した光量値の過去の平均に対する変化割合を算出して所定の割合（Ｒ）と比較し、所定割合以上であれば意識したまばたきと判別し、且つ、その後の変化状態が所定期間（内部タイマＴＩＸのカウント値）継続した場合に、初めてトリガーされる構成としている。
【００６９】
さらに、１度意識したまばたきを検出した後は、瞼が開かれ受光量が所定値以下にならないと、次のトリガーを行わない様にまばたき検出禁止フラグ（ＣＨＩＮＨ）を設定し制御する構成としている。
【００７０】
まばたきに伴う光量変化特性は外部タイマ（ＴＥＸ）による割り込み周期と、光量値の過去平均算出回数（Ｎ）、および過去平均値に対する変化割合（Ｒ）により決定する。また、まばたき維持時間は内部タイマ（ＴＩＸ）により判別される構成であり、光量変化検出特性は眼球に対するまばたき検出エリア２５のサイズと、眼球と検出系の距離、まばたき時の瞼の移動スピード等によって決定される。
【００７１】
また、検出維持時間は人の無意識なまばたきが、約１００〜１５０ｍｓｅｃで瞼の開閉が完了することが分かっているので、これと意識したまばたきとの識別を行うために、これより長く例えば２００〜３００ｍｓｅｃ程度に設定するのが好ましいと考える。
【００７２】
図８のタイミングチャートに示すように、図中の（Ａ），（Ｂ）は無意識のまばたきの場合の受光量変化特性であり、（Ｃ）は撮影者が意識したまばたきをした場合の受光量変化である。
【００７３】
なお、本実施例では、まばたきによりトリガーされる機能はレリーズ操作としたが、さらに多くの機能から１つを選択実行する構成としてもよい。
【００７４】
このように、本実施例では、メガネ（ゴーグル）型ハーフミラーにより視線スイッチとファインダを構成したので、倍率の相違による視覚的違和感も無くコンパクトで携帯性に優れた、操作が自動型のファインダ装置が得られた。
（第２の実施例）
図１２は本発明の第２実施例に係る頭部装着型ファインダ装置の斜視図である。
【００７５】
図１３は図１２に示す装置の横位置撮影の状態を示す斜視図である。
【００７６】
図１２において、１０１はファインダ装置を頭部に装着するためのヘッドベルトで、１０２は本装置の前実施例と同機能のゴーグル部を機密性を持つ防水構造として保持するハウジングであり、ヘッドベルト１０１を調節してゴーグル部を目に合わせて装着する。これで通常の水中用ゴーグルのように眼の周囲に水が侵入しないようになっている。１０３はカメラ部で防水構造となっている。
【００７７】
従来の水中カメラはマニュアル操作が主流のため（オートは少ない）、ハウジングにはレリース釦の他にも操作レバーがあって各操作レバーの防水処理も手間の掛かるものであったが、本実施例の場合は視線スイッチを多用することによって操作部材が減らせるので、防水構造が容易で耐水深性の点でも有利である。
【００７８】
カメラ部１０３は前実施例と同一機能なので、縦横撮影の切換えは図１２、図１３のように、カメラ１０３を９０°倒すことによって可能である。この時の視野枠の縦横切換え（図４のような）のための姿勢検知は、図１３に示すように投光素子（ＬＥＤ）１０４と、受光素子（ＳＰＤ）１０５により姿勢検知して切換えを行うものである。この方式は、スイッチ接片等をカメラ外に突出させる必要が無く防水カメラに適している。
【００７９】
なお、このカメラ部１０３はＣＣＤによるビデオカメラとすることも可能であり、ファインダのフレーム部にディスプレイを持ってくれば、ビデオカメラを手で構える必要がないため水中撮影の自由度が増して便利な装置を構成できる。
【００８０】
このように、第２実施例は、防水カメラ型の頭部装着型ファインダ装置を構成したので、手でカメラを保持する必要がなく、雪中のスキー場、雨中の野外、海水浴、水上スポーツ等の撮影にも最適であり、水圧の高い水中でのスキューバダイビングやスキンダイビング用の本格的な水中カメラとしても、両手の自由が利くので安全度の高い水中撮影が可能になり、また素早い対応が可能なのでシャッタチャンスにも強く、さらに、レバー操作やボタン操作が要らないので自分で手にとった物を保持したまま撮影できるというように、操作に手間の掛からない便利な全自動型の防水カメラが得られる。なお、図示していないが防水構造のストロボ装置をシューに装着すれば水中撮影に使用できることは勿論である。また、ビデオ撮影時の水中ライトも同様である。
【００８１】
【発明の効果】
請求項１に記載の発明によれば、片方の目の光路中に眼球を検出する検出装置を、もう一方の目の光路中にはカメラの撮影画界の情報を組み込む構成としたので、操作部、接続コード等一切無いコンパクトで携帯性の良い頭部装着型ファインダ装置が得られるものでありながら、ファインダ装置で左右別濃度のフィルタを用いたので、両目の入射光量を調整して視覚的違和感を感じない頭部装着型ファインダ装置が得られる。
【００８２】
請求項２に記載の発明によれば、ファインダ装置は被写界視野外に被写界を撮影するカメラ部を一体に備えているので、被写界視野外に備えたカメラのレリーズをファインダ側より自動操作できる。
【００８３】
請求項３に記載の発明によれば、カメラの縦横位置切換手段と、視野枠表示を切換える視野枠切換手段を備えたので、縦横撮影位置の切換えに連動してファインダの視野枠が自動的に切換わる。
【００８４】
請求項４に記載の発明によれば、ファインダ装置の上方に着脱可能にソーラーパネルを装着し、装置電源として装備される小型小容量の二次電池を蓄電するようにしたので、電池交換が不要な省エネ型の頭部装着型ファインダ装置が得られる。
【００８５】
請求項５に記載の発明によれば、頭部装着型ファインダ装置を防水構造としたので、視線スイッチを用いて操作部を省いた水中操作性の良い水中カメラが得られる。
【００８６】
請求項６に記載の発明によれば、防水構造のカメラ部の視野枠を切換えるための姿勢検知センサーを投光素子と受光素子で構成したので、防水型カメラ部の縦横位置切換えを安全、確実に検知できる。
【図面の簡単な説明】
【図１】本発明の第１実施例に係る頭部装着型ファインダ装置の斜視図である。
【図２】図１に示す頭部装着型ファインダ装置の横位置撮影を示す斜視図である。
【図３】図１に示すカメラ部の回転機構を示す断面図である。
【図４】図１に示すファインダ視野枠の切換えを示す概略図である。
【図５】図１に示すまばたきを検出する装置のシステムを示す構成図である。
【図６】図１に示す頭部装着型ファインダ装置のブロック図である。
【図７】図１に示す頭部装着型ファインダ装置の動作のフローチャートである。
【図８】図１に示す頭部装着型ファインダ装置のまばたき検出時の受光量変化のタイミングチャートである。
【図９】図１に示す頭部装着型ファインダ装置の瞼開状態の検出エリアの図である。
【図１０】図９に示す瞼の閉状態の検出エリアを示す図である。
【図１１】本発明の第２実施例に係る頭部装着型ファインダ装置の斜視図である。
【図１２】図１１に示す頭部装着型ファインダ装置の横位置撮影を示す斜視図である。
【図１３】図１２に示す装置の横位置撮影の状態を示す斜視図である。
【符号の説明】
１  ヘッドバンド
２  ゴーグル部
３  採光窓
４  ＬＣＤ
５  視線センサー
６  カメラ部
７  ストロボ装置
８  ソーラーパネル
９  ガイドバンド
１１  システムコントローラ
１２  ＲＯＭ
１３  ＲＡＭ
１４  測光回路
１５  測距回路
１６  シャッタドライバ
１７  メインスイッチ
１８  レリーズスイッチ
１９  フィルム
２０  シャッタ
２１  撮影レンズ
２２  受光ＳＰＤ
２３  検出エリア遮光マスク
２４  受光レンズ
２５  検出エリア範囲
２６  演算増幅器
２７  抵抗
２８  Ａ／Ｄコンバータ
２９  赤外発光ダイオード
３０  定電流ドライバ
３１  外部タイマ
３２  瞼
１０１  ヘッドベルト
１０２  ハウジング
１０３  防水カメラ部
１０４  投光ＬＥＤ
１０５  受光ＳＰＤ
【図１】
0003563830.tif 000002
【図２】
0003563830.tif 000003
【図３】
0003563830.tif 000004
【図４】
0003563830.tif 000005
【図５】
0003563830.tif 000006
【図６】
0003563830.tif 000007
【図７】
0003563830.tif 000008
【図８】
0003563830.tif 000009
【図９】
0003563830.tif 000010
【図１０】
0003563830.tif 000011
【図１１】
0003563830.tif 000012
【図１２】
0003563830.tif 000013
【図１３】
0003563830.tif 000014